(57)【要約】【課題】簡単な構成でしかも切断及び溶接等の作業を要することなしに容易に配管を支持できるようにする。【解決手段】一端が相互に嵌合された管からなる第１支柱２４と第２支柱２５とを有し、第１支柱２４の他端には配管９を受ける管受台２６が固定され、第２支柱２５の他端には固定面２３に固定する取付台２７が固定されており、嵌合した第１支柱２４と第２支柱２５の嵌合長さＬを調節して固定面２３と配管９との間に配置し、第１支柱２４の管受台２６に配管９を固定し、第２支柱２５の取付台２７を固定面２３に固定した前記第１支柱２４と第２支柱２５の嵌合部を相互に固定する。【選択図】図１
2012041968.tif 000002
【特許請求の範囲】
【請求項１】
固定面に対し間隔を有して配置される配管を固定面に支持するための配管支持装置であって、一端が相互に嵌合された管からなる第１支柱と第２支柱とを有し、第１支柱の他端には配管を受ける管受台が固定され、第２支柱の他端には固定面に固定する取付台が固定されており、嵌合した第１支柱と第２支柱の嵌合長さを調節して固定面と配管との間に配置し、第１支柱の管受台に配管を固定し、第２支柱の取付台を固定面に固定した前記第１支柱と第２支柱の嵌合部を相互に固定したことを特徴とする配管支持装置。
【請求項２】
前記第１支柱と第２支柱の一方に、前記嵌合部の嵌合長さを規定し且つ相互の回転は許容するストップリングを備えたことを特徴とする請求項１に記載の配管支持装置。
【請求項３】
前記管受台に配管を位置決めして固定できる長孔を有することを特徴とする請求項１又は２に記載の配管支持装置。
【発明の詳細な説明】
【技術分野】
【０００１】
本発明は、配管の支持固定作業を容易にした配管支持装置に関するものである。
【背景技術】
【０００２】
従来より、固定面から離れた状態に配置される配管を支持するために、固定面からの配管の距離に応じて支持するための配管支持装置が種々実施されている。又、圧縮機のようなユニット装置を工場等で組み立てる場合には、ユニット装置に備えられる配管の位置が、ユニット装置を設置する据付け現場に備えられる装置機器の取合い部に一致するように組み立てを行い、ユニット装置を据付け現場に搬入して設置するまでの間に前記配管が曲るような事態が生じないように、前記配管を配管支持装置によってユニット装置の固定面に固定しておくことが行われている。
【０００３】
ここで、固定面と配管との間隔が小さい場合の配管の支持は、小型の装置を用いて比較的簡単に行うことができるが、固定面に対して大きな間隔を有して配置される配管の支持は、長尺の配管支持装置によって支持する必要がある。
【０００４】
固定面に対して大きな間隔で配置される配管を支持するための従来の配管支持装置としては、一般に、パイプからなる支柱を備え、該支柱の下端には固定面にボルト固定する取付台を設け、支柱の上端には管受台を設けて、該管受台上にＵボルトを介して配管を固定するようにしている。
【０００５】
前記従来の配管支持装置の支柱は、配管を支持する高さに対して余裕を備えた長さに形成されており、配管を支持するには、先ず配管と固定面との間の間隔を計測してその間隔寸法に配管支持装置の高さが一致するように支柱を切断し、続いて切断した支柱同士を溶接することによって前記間隔寸法になるように長さを調節する。続いて、長さを調整した配管支持装置を配管の下側に鉛直に配置し、下端の取付台をボルトにより固定面に固定し、管受台上にＵボルトにより配管を固定する。
【０００６】
一方、配管の据付けにおいて、配管据付け工事に先行して配管据付け対象の構造物に予め共通のサポートを配設し、この共通のサポートに水平方向、垂直方向に配管の位置調整が可能な配管取付け位置調整治具を設置して、配管取付けの位置決めを行い、この位置決めされた配管と前記共通サポートとの間の相対位置寸法差を利用して、各配管固有の配管サポートを前記共通配管サポートに溶接により取付けることからなる配管据付け工法がある（特許文献１）。
【先行技術文献】
【特許文献】
【０００７】
【特許文献１】特許第３７２０４５９号公報
【発明の概要】
【発明が解決しようとする課題】
【０００８】
しかし、従来の配管支持装置は、配管と固定面との間隔を計測してその間隔寸法に高さが一致するように支柱を切断する作業、及び切断した支柱同士を溶接することによって前記間隔寸法になるように長さを調節する作業を少なくとも１回行っており、この寸法合わせのための面倒な作業に時間を要し、そのために生産性を高めることができないという問題を有していた。
【０００９】
また、特許文献１に記載のものは、ユニット装置に備えられる配管を、据付け現場の取合い部の位置に予め支持しておくための配管支持装置とは異なるものであるが、特許文献１の配管据付工法では、共通の配管サポートと、配管取付け位置調整治具と、配管固有の配管サポートとを備える必要があり、配管据付けのための構成が複雑なものとなっている。
【００１０】
本発明は、上記従来の問題に鑑みてなしたもので、簡単な構成でしかも切断及び溶接等の作業を要することなしに容易に配管を支持できるようにした配管支持装置を提供しようとするものである。
【課題を解決するための手段】
【００１１】
本発明は、固定面に対し間隔を有して配置される配管を固定面に支持するための配管支持装置であって、一端が相互に嵌合された管からなる第１支柱と第２支柱とを有し、第１支柱の他端には配管を受ける管受台が固定され、第２支柱の他端には固定面に固定する取付台が固定されており、嵌合した第１支柱と第２支柱の嵌合長さを調節して固定面と配管との間に配置し、第１支柱の管受台に配管を固定し、第２支柱の取付台を固定面に固定した前記第１支柱と第２支柱の嵌合部を相互に固定したことを特徴とする配管支持装置、に係るものである。
【００１２】
上記配管支持装置において、前記第１支柱と第２支柱の一方に、前記嵌合部の嵌合長さを規定し且つ相互の回転は許容するストップリングを備えたことは好ましい。
【００１３】
又、上記配管支持装置において、前記管受台に配管を位置決めして固定できる長孔を有することは好ましい。
【発明の効果】
【００１４】
本発明の配管支持装置によれば、一端が相互に嵌合された管からなる第１支柱と第２支柱とを有するので、嵌合部の嵌合長さを調節することで固定面と配管との間隔に一致させて配管支持装置を容易に配置することができ、よって、取付作業が簡略化され、更に、第１支柱と第２支柱を相互に固定することで配管を簡単、確実に支持できるという優れた効果を奏し得る。
【図面の簡単な説明】
【００１５】
【図１】本発明の配管支持装置の第１実施例を示す側面図である。
【図２】（ａ）は図１をＩＩＡ−ＩＩＡ方向から見た平面図、（ｂ）は図１をＩＩＢ−ＩＩＢ方向から見た底面図、（ｃ）は図１をＩＩＣ−ＩＩＣ方向から見た正面図である。
【図３】本発明の実施例である配管支持装置の第２実施例を示す正面図である。
【図４】図３をＩＶ−ＩＶ方向から見た平面図である。
【図５】図３に備えたストップリングの形状を示す側面図である。
【図６】本発明を適用する工場で組み立てられる圧縮機ユニットの一例を示す背面図である。
【図７】図６の平面図である。
【発明を実施するための形態】
【００１６】
以下、本発明の実施の形態を図示例と共に説明する。
【００１７】
図１、図２（ａ）（ｂ）（ｃ）は本発明の配管支持装置の第１実施例を示すものであり、図６に示すような圧縮機ユニットＵにおけるベース架台１の固定面２３上に間隔を有して配置される配管９を固定面２３に支持するための配管支持装置２２を示している。
【００１８】
図６は据付仕様に応じて工場で組み立てられるユニット装置の一例としての圧縮機ユニットを示す背面図、図７は図６の平面図であり、圧縮機ユニットＵは、ベース架台１上に、１台の駆動モータ２と、該駆動モータ２で駆動される図示しない大歯車を有し該大歯車の周方向に配置されたピニオンによって駆動される複数の圧縮機により多段圧縮を行うようにした圧縮装置３を有しており、前記圧縮機ユニットＵは工場で製作された後、現地に搬送され、前記ベース架台１を基礎４上に設置することにより据付けられる。
【００１９】
図６、図７の圧縮機ユニットＵは、Ａ気体とＢ気体を同時に圧縮する場合を示しており、Ａ気体が空気の場合には、Ａ気体は実線矢印で示すように、フィルタ５から第１段圧縮機６に供給されて１段目圧縮が行われた後、第１段インタークーラ７により冷却され、続いて、第２段圧縮機８に供給されて２段目圧縮が行われた後、圧縮空気として取出配管９の取出口９ａから取り出される。
【００２０】
又、Ｂ気体は破線矢印で示すように、取入配管１０の取入口１０ａから取り入れられて第１段圧縮機１１に供給されることにより１段目圧縮が行われた後、第１段インタークーラ１２により冷却され、続いて、第２段圧縮機１３に供給されることにより２段目圧縮が行われた後、第２段インタークーラ１４により冷却されて、取出配管１５の取出口１５ａから取り出される。１６は防油堰である。
【００２１】
圧縮機ユニットＵにおける取出配管９の取出口９ａは、例えば設置現場に備えられる燃焼炉等からなる装置の接続配管１７による取合い部Ｘに接続され、これにより、取出配管９からの圧縮空気は燃焼炉等に供給される。又、設置現場の装置からの例えば窒素等のガスＢを取入配管１０により圧縮機ユニットＵに取り込んで圧縮した後、取出配管１５により設置現場の装置に戻す際には、前記取入配管１０の取入口１０ａ及び取出配管１５の取出口１５ａを、設置現場に備えられる装置の取合い部に接続する必要がある。
【００２２】
このため、上記したような、設置現場の取合い部Ｘに接続する取出配管９、取入配管１０及び取出配管１５を備えた圧縮機ユニットＵ（ユニット装置）を工場で組み立てる際には、前記配管９，１０，１５が装置の運搬時等に曲ってしまうような事態が生じないように、配管９，１０，１５を装置のベース架台１の上面（固定面２３）に固定するための配管支持装置２２を設けている。
【００２３】
ここで、図６に示すようにベース架台１の直上に小さい間隔で備えられている配管１０，１５の場合には、小型の装置で簡単に配管１０，１５を支持することができるが、配管９のようにベース架台１の固定面２３から大きく離れて設置されている場合には、長尺の配管支持装置２２を備えて配管９を固定面２３の上方に精度良く支持する必要がある。
【００２４】
上記配管９を支持する第１実施例の配管支持装置２２は、図１、図２（ａ）（ｂ）（ｃ）に示すように、一端が相互に嵌合する管からなる第１支柱２４と第２支柱２５とを有しており、上側の第１支柱２４の径は細く、細径の上側の第２支柱２４の下端が第２支柱２５の上端に入り込むように嵌合している。上側の第１支柱２４の他端（上端）には配管９を受ける管受台２６が固定され、第２支柱２５の他端（下端）には固定面２３に固定する取付台２７が固定されている。
【００２５】
前記管受台２６は、前記第１支柱２４の上端に固定した板２８の上側にＣ形のチャンネル材２９のフランジ端を固定し、該チャンネル材２９の上面に、該チャンネル材２９の長手方向に長い長孔３０をチャンネル材２９の長手方向に所要の間隔を有して形成し、この長孔３０にＵボルト３１を通して前記配管９を固定している。３２は補強プレートである。
【００２６】
又、前記取付台２７は、図１、図２（ｃ）に示すように、前記取付台２７に設けたボルト孔３５ａに固定ボルト３５を通して前記固定面２３に固定している。
【００２７】
次に、上記第１実施例の作動を説明する。
【００２８】
図６に示したように、工場で組み立てられるユニット装置の一例である圧縮機ユニットＵに備えられる配管９は、固定面２３から大きな間隔を有して配置されている。このような配管９が運搬時等に曲ってしまうような事態が生じないようにするために、図１の配管支持装置２２によって支持するには、第１支柱２４にと第２支柱２５の嵌合長さＬを大きくして配管支持装置２２の全体長さを短くした状態にして、配管９と固定面２３との間に、鉛直で、しかも管受台２６が配管９の所定位置の下面に直交して当接し、且つ取付台２７が固定面２３上に平行に設置されるように嵌合長さＬを調節して配置した後、第１支柱２４と第２支柱２５の嵌合部（第１支柱２４の下端）を溶接により仮付けする。その後、配管９をＵボルト３１により管受台２６上に固縛すると共に、取付台２７を固定ボルト３５により固定面２３に固定する。このとき、前記長孔３０に配置したＵボルト３１によって配管９を固定しているので、前記配管９が管受台２６の長手方向に対して位置がずれていても、長孔３０によってＵボルト３１の位置を調整して配管９を固定することができる。これにより、配管９は固定面２３の上方に精度良く支持される。
【００２９】
上記したように、図１に示した配管支持装置２２は、一端が相互に嵌合された管からなる第１支柱２４と第２支柱２５とを有しているので、嵌合部の嵌合長さＬを調節することで固定面２３と配管９との間隔に一致させて配管支持装置２２を配置する作業が容易になり、取付作業を簡略化できる。続いて、第１支柱２４と第２支柱２５との嵌合部を溶接によって相互に固定することで配管９を簡単、確実に支持できるようになる。
【００３０】
図１の配管支持装置２２により配管９を支持して図６のように組み立てられた圧縮機ユニットＵ（ユニット装置）は設置現場に搬入されて据付けが行われるが、この間、配管９は配管支持装置２２によって確実に支持される。
【００３１】
図３、図４は本発明の第２実施例を示したものである。第２実施例が前記第１実施例と大きく異なるところは、第１支柱２４と第２支柱２５の一方に、前記嵌合部の嵌合長さＬを規定し且つ相互の回転は許容するようにしたストップリング３７を備えた点である。図５に示すストップリング３７は図３の第１支柱２４に適度の隙間で嵌合する大きさを有している。
【００３２】
図３〜図５に示す配管支持装置２２によって配管９を支持するには、前記第１支柱２４に前記ストップリング３７を嵌合させ、第１支柱２４の下端を第２支柱２５の上端に嵌合し、嵌合長さＬを大きくして配管支持装置２２の全体長さを短くした状態にして、配管９と固定面２３との間に、鉛直で、しかも管受台２６が配管９の所定位置の下面に当接し、取付台２７が固定面２３上に平行に設置されるように嵌合長さＬを調節して配置した後、前記ストップリング３７の上辺を第１支柱２４に溶接により固定する。
【００３３】
これにより、第１支柱２４はストップリング３７を介して第２支柱２５の上端に支持され、更に、第１支柱２４及び管受台２６は、第２支柱２５に対して矢印Ｓで示すように自由に水平旋回できるようなる。続いて、図１に示したように、配管９をＵボルト３１により管受台２６上に固縛すると共に、取付台２７をボルト３５により固定面２３に固定する。
【００３４】
図３〜図５の配管支持装置２２により配管９を支持して図６のように組み立てられた圧縮機ユニットＵ（ユニット装置）を設置現場に搬入して据付ける際には、設置現場に備えられる接続配管１７の取合い部Ｘの向きが変化したような場合に、前記第１支柱２４を水平旋回させることにより配管９の向きを接続配管１７に一致させて接続することができる。このように設置現場において配管９の向きを調節して接続配管１７に接続した後に、前記ストップリング３７の下辺を第２支柱２５の上端に溶接して固定する。このとき、図５に示すように、ストップリング３７の下辺に溶接開先３７ａを形成しておくと、前記第２支柱２５の上端とストップリング３７との溶接を確実に行うことができる。
【００３５】
上記した配管支持装置２２においては、第１支柱２４と第２支柱２５の長さは、前記配管９と固定面２３との間隔に応じた長さで、且つ、支持強度を保持するための嵌合長さＬを考慮した長さを有している必要がある。このように、第１支柱２４と第２支柱２５の仕様に応じた最低限の嵌合長さＬを求めた結果を表１に示した。
【表１】
2012041968.tif 000003
【００３６】
上記表１によれば、配管９と固定面２３との間隔に応じて第１支柱２４と第２支柱２５の長さを容易に選んで決定することができる。
【００３７】
尚、本発明の配管支持装置は、上述の実施例にのみ限定されるものではなく、圧縮機ユニットＵ以外の種々のユニット装置に備えられる配管の支持、及び、ユニット装置に限られない種々の配管の支持に適用できること、その他、本発明の要旨を逸脱しない範囲内において種々変更を加え得ることは勿論である。
【符号の説明】
【００３８】
９  取出配管（配管）
２２  配管支持装置
２３  固定面
２４  第１支柱
２５  第２支柱
２６  管受台
２７  取付台
３５  長孔
３７  ストップリング
Ｌ      嵌合長さ
【図１】
2012041968.tif 000004
【図２】
2012041968.tif 000005
【図３】
2012041968.tif 000006
【図４】
2012041968.tif 000007
【図５】
2012041968.tif 000008
【図６】
2012041968.tif 000009
【図７】
2012041968.tif 000010